(57)【要約】【課題】ケーブルクランプ手段を備えたコネクタにおいて当該コネクタからのケーブルの抜けを確実に防止できるケーブル接続部構造を提供する。【解決手段】ケーブルクランプ手段３を構成する部分円環状の第１ブロック３２と部分円環状の第２ブロック３３との間に、ケーブル２０の外皮２０ｂのみに食い込む複数の爪部９ｃ・・・９ｃを有する一対のケーブル抜け止め用の金具９・９を装着し、これらの金具９・９を介して両ブロック間にケーブル２０を挟持する構成とする。【選択図】図１
2011233440.tif 000002
【特許請求の範囲】
【請求項１】
筒状のシェルの一端側にケーブルクランプ手段を備え、このケーブルクランプ手段側からシェル内に、絶縁性の外皮で心線を被覆してなるケーブルが挿通されて接続されるとともに、当該ケーブルがケーブルクランプ手段によってクランプされて固定されるコネクタのケーブル接続部構造であって、
前記ケーブルクランプ手段が、前記シェルまたはこれに結合される筒状部と一体に形成された部分円環状の第１ブロックと、この第１ブロックにネジを用いて締結されて当該第１ブロックとの間に一対の対向する凹部からなるクランプ部を形成する部分円環状の第２ブロックとを有していて、
前記クランプ部にケーブルを挿通した状態で両ブロックを締結しているネジを操作して両ブロックを締め付けることでケーブルを挟持する構成とされており、
第１および第２ブロック間には、これらの対向面側の端面形状に沿うように前記凹部に対応するケーブル挟持用の部分円筒部が中央部にそれぞれ形成され且つその両側の平坦部に前記ネジの挿通孔がそれぞれ形成された一対のケーブル抜け止め用の金具が装着され、
これらの金具における部分円筒部の軸方向の両端縁には、両金具を介してケーブルを挟持した状態で両ブロックを締め付けたときに当該ケーブルの外皮のみに食い込む複数の爪部がそれぞれ設けられていることを特徴とするコネクタのケーブル接続部構造。
【請求項２】
複数の爪部は、両金具間に挟持されるケーブルの軸心方向と直交する径方向から当該ケーブルの外皮のみに食い込むように、当該爪部が設けられている部分円筒部の軸方向の端縁を含む面内にあって当該部分円筒部の軸心または内方に向けて突出しており、その突出量が前記ケーブルの外皮の厚み寸法未満に設定されている、請求項１記載のコネクタのケーブル接続部構造。
【発明の詳細な説明】
【技術分野】
【０００１】
本発明は、電源ケーブルや信号ケーブル等のケーブルが接続されるコネクタ（ケーブルコネクタ）に関し、さらに詳しくはそのケーブル接続部構造に関する。
【背景技術】
【０００２】
一般に、電気通信機器や電気通信設備等に電源ケーブルや信号ケーブル等のケーブルを接続する場合、ケーブルの接続側の端部にコネクタを取り付け、このコネクタを機器や設備側の対応するコネクタ部に接続することが行われる。このような場合に使用されるケーブル接続用のコネクタとして、筒状のシェルの一端側にケーブルクランプ手段を備えたコネクタがある（例えば特許文献１、２参照）。
【０００３】
このタイプのコネクタにおけるケーブルクランプ手段は、前記シェルまたはこれに結合される筒状部と一体に形成された部分円環状（例えば略半円環状）の第１ブロック（ケーブルクランプボディ）と、この第１ブロックにネジを用いて締結されて当該第１ブロックとの間に一対の対向する凹部からなるクランプ部を形成する部分円環状の第２ブロック（ケーブルクランプハーフ）とを有する。そして、コネクタにケーブルを接続する際には、シェル内に先端側を挿通したケーブルを両ブロック間のクランプ部で挟んだ状態で、両ブロック締結用のネジを操作して両ブロックを締め付けることよって、接続されたケーブルが不用意に抜けてしまったりぐらついたりしないように固定できるようになっている。
【先行技術文献】
【特許文献】
【０００４】
【特許文献１】特開２００２−８３６４７号公報（図１）
【特許文献２】特開平１０−１４４３８４号公報（図１）
【発明の概要】
【発明が解決しようとする課題】
【０００５】
ところが、接続されるケーブルの種類によっては、コネクタにおけるケーブル締め付け部（クランプ部）である上記のブロックを目一杯締め付けても、ケーブルとこれを挟持するケーブルクランプ手段のブロックとの間に隙間が生じる場合がある。これは、径寸法の異なる複数種のケーブルに対応できるように一対の部分円環状のブロックを組み合わせて略円環状のクランプ部を形成するようにした上記のようなタイプのコネクタにおいては避けられないものである。接続されるケーブルの外径が、上記のブロックを目一杯締め付けた場合に形成されるクランプ部の内径（短径）に満たないような場合もあるからである。そして、上記のような隙間があると、ケーブルに対するクランプが不十分となるため、比較的小さな引っ張り力がケーブルに作用した場合でもケーブルが心線ごとコネクタから抜けてしまうことがある。
【０００６】
そこで、この種のコネクタにケーブルを接続する際には、従来においてはケーブルの締め付け部分、つまりクランプ部分にビニールテープなどの絶縁性のテープ（以下、テープともいう）を厚めに巻き付け、その部分を上記両ブロックで挟んで締め付けるようにしていた。このようにすると、コネクタとケーブルとの間の隙間を無くすことができるので、ケーブルの抜けを回避することができる。
【０００７】
しかしながら、上記のようにしてケーブルにテープを巻き付けた場合であっても、その巻き付けたテープが経年劣化により硬化（弾性が低下）したり脆くなったりして、テープの巻き付けによるケーブル保持効果が低下し、その結果、コネクタからケーブルが抜け易くなるという問題が生じていた。
【０００８】
本発明は、上述のような問題に対処するもので、一対のブロック間にケーブルを挟んで締め付けることによりケーブルをクランプする手段を備えたコネクタのケーブル接続部構造として、コネクタからのケーブルの抜けを防止できる構造を提供することを目的とする。
【課題を解決するための手段】
【０００９】
上記の目的を達成するため、本発明は、筒状のシェルの一端側にケーブルクランプ手段を備え、このケーブルクランプ手段側からシェル内に、絶縁性の外皮で心線を被覆してなるケーブルが挿通されて接続されるとともに、当該ケーブルがケーブルクランプ手段によってクランプされて固定されるコネクタのケーブル接続部構造において、次のように構成したことを特徴とする。
【００１０】
まず、ケーブルクランプ手段が、前記シェルまたはこれに結合される筒状部と一体に形成された部分円環状の第１ブロックと、この第１ブロックにネジを用いて締結されて当該第１ブロックとの間に一対の対向する凹部からなるクランプ部を形成する部分円環状の第２ブロックとを有していて、前記クランプ部にケーブルを挿通した状態で両ブロックを締結しているネジを操作して両ブロックを締め付けることでケーブルを挟持する構成とする。
【００１１】
そのうえで、上記の第１および第２ブロック間に一対のケーブル抜け止め用の金具を装着する。これらの金具は、両ブロックの対向面側の端面形状に沿うように前記凹部に対応するケーブル挟持用の部分円筒部が中央部にそれぞれ形成され且つその両側の平坦部に前記ネジの挿通孔がそれぞれ形成された構成とする。そして、これらの金具における部分円筒部の軸方向の両端縁に、両金具を介してケーブルを挟持した状態で両ブロックを締め付けたときに当該ケーブルの外皮のみに食い込む複数の爪部をそれぞれ設けた構成とする。
【００１２】
具体的には、各金具における複数の爪部が、両金具間に挟持されるケーブルの軸心方向と直交する径方向から当該ケーブルの外皮のみに食い込むように、当該爪部の設けられている部分円筒部の軸方向の端縁を含む面内にあって当該部分円筒部の軸心または内方に向けて突出しており、その突出量が前記ケーブルの外皮の厚み寸法未満である構成とする。なお、前記爪部の食い込みによる効果がケーブルの周方向において均等に得られるように、各金具における複数の爪部は、当該金具における部分円筒部の両端縁に沿って略等間隔に配置するのが好ましい。また、両金具間に挟持されるケーブルの外皮に各爪部が確実に食い込むように、各爪部は、ケーブル軸心方向（挿入方向）から見て先端が部分円筒部の軸心または内方に向けて尖った三角形の形状とするのが望ましい。
【発明の効果】
【００１３】
本発明によれば、コネクタにケーブルを接続してケーブルクランプ手段の第１および第２ブロック間に一対のケーブル抜け止め用の金具を介して当該ケーブルを挟持したときに、前記金具に設けられた複数の爪部の先端が当該ケーブルの外皮に当接する。そして、この状態から両ブロックを締め付けることによって、両金具における複数の爪部が当該ケーブルの外皮に食い込む。こうして、コネクタに接続されたケーブルは、その外皮に両金具における複数の爪部が食い込んだ状態で、ケーブルクランプ手段の第１および第２ブロック間に両金具を介して挟持されるので、両ブロックとの間に多少の隙間があったとしても当該コネクタから簡単に抜けるようなことはなくなる。
【図面の簡単な説明】
【００１４】
【図１】本発明の実施例に係るコネクタのケーブル接続部構造を示す分解斜視図である。
【図２】本発明の実施例に係るコネクタのケーブル接続部構造を示す平面である。
【図３】本発明の実施例に係るコネクタのケーブル接続部を軸方向（ケーブル接続方向）に沿って切断してその内部構造を示す拡大断面である。
【図４】本発明の実施例で使用した抜け止め用の金具を単体で示す斜視図である。
【図５】本発明の実施例を示すもので、第１および第２ブロックの締結用のネジの部分でケーブル接続方向と直交する方向に切断してその締結時の状態を示す断面図である。
【図６】本発明の実施例を示すもので、ケーブルクランプ手段における第１ブロックに第２ブロックを締結して両ブロック間にケーブルをクランプする際の組み合わせ状態を示す断面図である。
【発明を実施するための形態】
【００１５】
以下、本発明の実施例について説明する。
【００１６】
（実施例１）  図１ないし図６は、本発明に係るコネクタのケーブル接続部構造の実施例を示すものである。図１ないし３において、コネクタ１は、筒状のシェル２と、このシェル２の一端側（ケーブル挿入側となる後端側）に備えられたケーブルクランプ手段３と、シェル２内の他端側に組み込まれたインサート４と、シェル２の他端側の外周部に取り付けられてシェル２の軸方向に沿って所定の範囲で移動可能されたカップリングリング５とを有する。なお、このコネクタ１に接続されるケーブル２０は、複数の心線２０ａ・・・２０ａを絶縁性の外皮２０ｂで被覆した構成である（図５および図６参照）。
【００１７】
シェル１の一端側（後端側）の外周部は、図３に示すように、後述する筒状部３１が取り付けられる雄ネジ部２ａとされている。また、シェル２の一端側の内部には、シェル２内に挿入接続されたケーブル２０がシェル１内の一端側でぐらつく等のことがないようにこれを弾性的に保持するゴム製のブッシング６と、このブッシング６を一方向から押さえて固定する金属製のリング部材７とが装着されている。
【００１８】
インサート４には、図２に示すように、コネクタ１の接続相手側となる機器Ｘのコネクタ部Ｘｃに設けられた端子（図示せず）と電気的に接続される複数の端子（図示せず）が設けられており、そのシェル２内側の端部にケーブル２０の各心線２０ａがそれぞれ接続される。
【００１９】
カップリングリング５には、その内周面にネジ（図示せず）が形成されており、コネクタ１をその接続相手側の機器Ｘのコネクタ部Ｘｃに電気的に接続した後に、当該コネクタ部Ｘｃの外周に形成されているネジに対してカップリングリング４の内周面のネジを螺合させて締め合わせることで、当該コネクタ１とコネクタ部Ｘｃとが分離しないように結合させうるようになっている。
【００２０】
ケーブルクランプ手段３は、シェル２の一端側（後端側）にネジ嵌合により取り付けられる筒状部３１と、この筒状部３１のケーブル挿入側の端部に一体に形成された部分円環状の第１ブロック３２と、この第１ブロック３２と組み合わされて第１ブロック３２との間に一対の対向する凹部３２ａ・３３ａからなるクランプ部３ａを形成する部分円環状の第２ブロック３３とを有する。
【００２１】
このうち、筒状部３１は、図３に示したように、その内周面が雌ネジ部３１ａとされており、この雌ネジ部３１ａが前記シェル外周面の雄ネジ部２ａに螺合されることでシェル２と結合されるようになっている。また、図５および図６に示すように、第２ブロック３３の凹部３３ａを挟む両端部には両ブロック締結用の一対のネジ８・８を挿通させるためのネジ孔（ネジ挿通孔）３３ｂ・３３ｂが設けられ、これに対応する第１ブロック３２の両端部には当該一対のネジ８・８と螺合するネジ孔（雌ネジ）３２ｂ・３２ｂが設けられている。そして、これらの両ブロック３２・３３間に形成されるクランプ部３ａにケーブル２０を挿通した状態で前記ネジ８・８を用いて両ブロック３２・３３を締結し、さらに当該８・８ネジを操作して両ブロック３２・３３を締め付けることでケーブル２０が両ブロック間３２・３３に挟持されるように構成されている。
【００２２】
このような構成に加えて、本発明に係るコネクタ１のケーブル接続部構造においては、ケーブル１の接続時に上記の第１および第２ブロック３２・３３間に一対のケーブル抜け止め用の金具９・９が装着され、これらの金具９・９を介して両ブロック３２・３３間にケーブル２０が挟持される構成とされている。これらの金具９・９は、両ブロック３２・３３の対向面側の端面形状に沿うように前記凹部３２ａ・３３ａに対応するケーブル挟持用の部分円筒部９ａが中央部にそれぞれ形成され且つその両側の平坦部に前記ネジ８・８の挿通孔９ｂがそれぞれ形成されている。これらの金具９・９における部分円筒部９ａ・９ａの軸方向の両端縁には、両金具９・９を介してケーブル２０を挟持した状態で両ブロック３２・３３を締め付けたときに当該ケーブル２０の外皮２０ｂのみに食い込む複数の爪部９ｃ・・・９ｃがそれぞれ設けられている。
【００２３】
これらの複数の爪部９ｃ・・・９ｃは、図１、図３ないし図５に示すように、両金具間９・９に挟持されるケーブル２０の軸心方向と直交する径方向から当該ケーブル２０の外皮２０ｂのみに食い込むように、当該爪部９ｃの設けられている部分円筒部９の軸方向の端縁を含む面内にあって当該部分円筒部９の軸心または内方に向けて突出しており、その突出量がケーブル２０の外皮２０ｂの厚み寸法未満に設定されている。また、これらの爪部９ｃ・・・９ｃは、ケーブル２０の外皮に確実に食い込むように、ケーブル軸心方向（挿入方向）から見て先端が部分円筒部９ａの軸心または内方に向けて尖った三角形の形状とされているとともに、これらの食い込みによる効果がケーブル２０の周方向において均等に得られるように、当該金具９における部分円筒部９ａの両端縁に沿って略等間隔に配置されている。
【００２４】
上記のコネクタ１にケーブル２０を接続する際には、まずコネクタ１を構成しているインサート４、シェル２、ケーブルクランプ手段３を分離した状態で、これらにケーブルクランプ手段３側からケーブル２０を挿通して、その接続端側の心線２０ａを前記インサート４に設けられた端子（図示せず）の後端側に接続し、その上でシェル２内の前端側に当該インサート４を組み付ける一方、シェル２の後端側にケーブルクランプ手段３における筒状部３１を取り付けて、図１に示したように結合する。
【００２５】
次に、図１および図６に示したように、筒状部３１と一体の第１ブロック３２の合わせ面とケーブル２０との間に一方のケーブル抜け止め用の金具９を装着した状態で、この金具９との間でケーブル２０を挟持すべく他方のケーブル抜け止め用の金具９をケーブル２０上半側に装着して、両金具９・９の対向する一対の部分円筒部９ａ・９ａ間にケーブル２０を位置させる。この状態で、両金具９・９を介して第１および第２ブロック３２・３３でケーブル２０を挟持すべく、他方の金具９の外面側（合わせ面側とは反対側）から第２ブロック３３を組み付け、これらを一対の締結用のネジ８・８で結合する。
【００２６】
このようにすると、ケーブル２０は第１および第２ブロック３２・３３間に一対の金具９・９を介して挟持されるが、このとき先ず各金具９・９の部分円筒部９ａ・９ａに設けられた複数の爪部９ｃ・・・９ｃの先端が当該ケーブル２０の外皮２０ｂに当接し、その状態から両ブロック３２・３３によってさらに締め付けられることによって、図３および図５に示すように、両金具９・９における複数の爪部９ｃ・・・９ｃがケーブル２０の外皮２０ｂに食い込むようになる。この場合、各爪部９ｃ・・・９ｃは、その突出量がケーブル２０の外皮２０ｂの厚み未満に設定されているから、その心線２０ａにまで達することはない。
【００２７】
こうして、コネクタ１に接続されたケーブル２０は、その外皮２０ｂに両金具９・９における複数の爪部９ｃ・・・９ｃが食い込んだ状態で、ケーブルクランプ手段３における第１および第２ブロック３２・３３間に両金具９・９を介して挟持される。したがって、両ブロック３２・３３との間に多少の隙間があったとしても当該コネクタ１から簡単に抜けるようなことはなくなる。すなわち、ケーブルクランプ手段３における第１および第２ブロック３２・３３間にケーブル２０をクランプしたうえで、その外皮２０ｂに一対の抜け止め用の金具９・９における爪部９ｃ・・・９ｃが食い込むことによって当該ケーブル２０の抜けを確実に防止することができる。
【符号の説明】
【００２８】
１  コネクタ
２  シェル
３  ケーブルクランプ手段
３ａ  クランプ部
３１  筒状部
３２  第１ブロック
３３  第２ブロック
３２ａ・３３ａ  一対の対向する凹部
８  両ブロック締結用のネジ
９  ケーブル抜け止め用の金具
９ａ  部分円筒部
９ｃ  爪部
２０  ケーブル
２０ａ  心線
２０ｂ  外皮
【図１】
2011233440.tif 000003
【図２】
2011233440.tif 000004
【図３】
2011233440.tif 000005
【図４】
2011233440.tif 000006
【図５】
2011233440.tif 000007
【図６】
2011233440.tif 000008